(57)【要約】【課題】  現有のミシンの内部レイアウトに適用する無線受信装置を提供する。【解決手段】  無線受信装置は、ミシン本体のコネクタ１３に挿着されて無線通信でフットコントローラ１５からの制御信号を受信してミシン本体内のモータ１２を駆動する。この受信装置２は、ハウジング３外側に固着され、電源に接続される入力端子ユニット４及び出力端子ユニット６と、ハウジング内に配設された受信機５とを備えている。受信機は、コントローラからの制御信号を受信する受信ユニット５１と、受信ユニットに接続され、制御信号を処理する処理ユニット５２と、処理ユニットと入力端子ユニットとに接続され、処理された制御信号に基づいて入力端子ユニットからの電流を制御しながら駆動電流としてモータへ供給する駆動ユニット５３とを備えている。出力端子ユニットは、コネクタに対応して挿着されて駆動ユニットからの駆動電流をモータに伝えて駆動させる。【選択図】    図３
2005193027.tif 000002
【特許請求の範囲】
【請求項１】
ミシン本体に設けられたコネクタに挿着されて無線通信でフットコントローラからの制御信号を受信し、その制御信号に基づいてミシン本体に内蔵されているモータを駆動するミシン用無線受信装置であって、
ハウジングと、
前記ハウジングの外側に固着され、電源に接続される入力端子ユニットと、
前記ハウジング内に取り付けられ、前記フットコントローラからの制御信号を受信する受信ユニットと、前記受信ユニットに接続され、前記受信ユニットで受信された制御信号を処理する処理ユニットと、前記処理ユニットと前記入力端子ユニットとに接続され、前記処理ユニットで処理された制御信号に基づいて前記入力端子ユニットからの電流を制御しながら駆動電流としてモータへ供給する駆動ユニットとを有する受信機と、
前記ハウジングの外側に固着された状態で前記駆動ユニットに接続され、前記コネクタに対応して挿着されて前記駆動ユニットからの駆動電流を前記コネクタを介して前記ミシン本体内の前記モータに伝えて前記モータを駆動させる出力端子ユニットと
を備えていることを特徴とするミシン用無線受信装置。
【請求項２】
前記入力端子ユニットに挿着されて導通され、前記電源を導入する電源コードをさらに備えていることを特徴とする請求項１に記載のミシン用無線受信装置。
【請求項３】
前記入力端子ユニットと前記出力端子ユニットとは、それぞれ前記ハウジングの反対した両側に配設されていることを特徴とする請求項１に記載のミシン用無線受信装置。
【請求項４】
前記ハウジングの外側に露出された状態で配設され、押圧されると前記処理ユニットを設定可能な押圧ボタンをさらに備えていることを特徴とする請求項１に記載のミシン用無線受信装置。
【発明の詳細な説明】
【技術分野】
【０００１】
本発明は無線受信装置に関し、特に、フットコントローラ式ミシンに使用されて無線通信でミシンに内蔵されているモータを駆動するミシン用無線受信装置に関する。
【背景技術】
【０００２】
一般的に電動ミシンにはフットコントローラを踏むか、オン／オフスイッチを押すことによって動くものがある。図１に示すのは、フットコントローラを踏むことにより、その本体に内蔵されているモータの運転速度を制御するフットコントローラ式ミシンである。このミシンはモータ（図示せず）が内蔵されているミシン本体９１と、このミシン本体９１の外側に設けられているコネクタ９２と、このコネクタ９２に対応して挿着される挿入コネクタ９３と、この挿入コネクタ９３にそれぞれの一端部が接続されている電源コード９４及び信号コード９５と、信号コード９５の他端部に接続されているフットコントローラ９６とを備えている。
【０００３】
フットコントローラ９６を踏むと、コントローラ９６への踏み加減が制御信号に変換される。そして、信号コード９５及びコネクタ９２を介してミシン本体９１の内部のモータに伝えられてそのモータが駆動される。
【０００４】
上述したミシンを使用する際、通常では、ミシン本体９１はテーブルの上に配置されるが、フットコントローラ９６は地面上に置かれて使用者に踏まれる。従って、コントローラ９６とミシン本体９１との間に有線通信で信号を伝えられる。このため、信号コード９５はテーブルの上から地面上に延伸させなければならないので、レイアウトや作業に不利なうえ、ときにはフットコントローラ９６を踏む際にも邪魔になるという不都合がある。
【０００５】
上記に鑑みて、ミシン本体及びフットコントローラにそれぞれ受信機及び送信機が設けられ、無線通信でミシン本体とフットコントローラとの間に信号を伝えることにより、モータの運転速度を制御するミシンが提案されている。即ち、フットコントローラは、それに対する踏み加減が無線制御信号に変換されてから送信機によって受信機に送信されることにより、モータの運転速度を制御することができる。
【発明の開示】
【発明が解決しようとする課題】
【０００６】
ところが、現有の電動ミシンはそのミシン本体内の空間が十分に利用尽くされているので、その内部の配置や回路レイアウトなどを大掛かりに変更しなければ、受信機を装着して無線通信をすることが困難である。つまり、現有の有線通信制御方式を使用したミシンは、そのミシン本体内に無線受信機を装着するために必要な空間が不十分であるので、無線通信制御方式に改良することが困難である。
【０００７】
上記に鑑みて、本願発明者は、現有のミシンを、なるべく内部の配置や回路レイアウトを変更せずに、簡単に無線通信制御に改装することができるプランを考えに考えを重ねた結果、ミシンの外部から無線受信装置を接続すれば、ミシン内部の配置や回路レイアウトなどを大掛かりに変更する必要がないようになるという発想に至った。
【０００８】
即ち、本発明の目的は、モータの駆動回路に少々手入れを加えてから、外部からそれを接続すれば、現有の電動ミシンを無線通信制御方式にさせることができる無線受信装置を提供することにある。
【課題を解決するための手段】
【０００９】
上記目的を達成するために、本発明に係るミシン用無線受信装置は、ミシン本体に設けられたコネクタに挿着されて無線通信でフットコントローラからの制御信号を受信し、その制御信号に基づいてミシン本体に内蔵されているモータを駆動する。受信装置は、ハウジングと、前記ハウジングの外側に固着され、電源に接続される入力端子ユニットと、前記ハウジング内に取り付けられ、前記フットコントローラからの制御信号を受信する受信ユニットと、前記受信ユニットに接続され、前記受信ユニットで受信された制御信号を処理する処理ユニットと、前記処理ユニットと前記入力端子ユニットとに接続され、前記処理ユニットで処理された制御信号に基づいて前記入力端子ユニットからの電流を制御しながら駆動電流としてモータへ供給する駆動ユニットとを有する受信機と、前記ハウジングの外側に固着された状態で前記駆動ユニットに接続され、前記コネクタに対応して挿着されて前記駆動ユニットからの駆動電流を前記コネクタを介して前記ミシン本体内の前記モータに伝えて前記モータを駆動させる出力端子ユニットとを備えていることを特徴とする。
【発明の効果】
【００１０】
このミシン用無線受信装置を現有の電動ミシンに使用しようとすれば、まず、ミシン内のモータについている駆動回路を短絡させ、そしてそれを前記出力端子ユニットでミシンのハウジング外のコネクタと接続すると、前記駆動ユニットはフットコントローラからの制御信号に基づいて前記電源端子ユニットからの電流を制御しながら駆動電流として前記出力端子ユニット及び前記コネクタを介してモータに伝えてそのモータを駆動することができる。即ち、本発明のミシン用無線受信装置によっては、もともとの駆動回路だけを短絡させるほか、なんの配置変更もせずに、現有の電動ミシンを無線通信制御方式に改装することができる。
【発明を実施するための最良の形態】
【００１１】
以下、図面を参照しながら、本発明のミシン用無線受信装置の好ましい実施の形態について説明する。
【００１２】
図２および図３に示すように、本実施の形態に係る無線受信装置２は、フットコントローラ式ミシン１に使用される。このミシン１は、ミシン本体１１と、ミシン本体１１に内蔵されたモータ１２と、ミシン本体１１の外部に設けられたコネクタ１３と、モータ１２とコネクタとの間に接続され、電流を導通するスイッチ１４と、踏み加減に基づいて制御信号を生成可能なフットコントローラ１５とを備えている。
【００１３】
無線受信装置２は、ハウジング３と、入力端子ユニット４と、受信機５（図３参照）と、出力ユニット６と、電源コード７とを備えている。
【００１４】
入力端子ユニット４は、無線受信装置２のハウジング３の一側面に固着されている。この入力端子ユニット４は、電源コード７を介して電源に接続される。すなわち、電源コード７は、入力端子ユニット４に挿着導通され、電源を導入するためのものである。一般的に、この電源には交流電流が使用される。
【００１５】
受信機５は、ハウジング３の内部に配設されている。図３に示すように、受信機５は、受信ユニット５１と、処理ユニット５２と、駆動ユニット５３と、押圧ボタン５４とを備えている。
【００１６】
受信ユニット５１は、フットコントローラ１５の踏み加減に基づく制御信号を受信するためのものである。処理ユニット５２は、受信ユニット５１に接続され、受信ユニット５１で受信された制御信号を処理するためのものである。
【００１７】
駆動ユニット５３は、処理ユニット５２と入力端子ユニット４とに接続されている。それにより、駆動ユニット５３は、処理ユニット５２で処理された制御信号に基づいて入力端子ユニット４からの電流を制御しながら駆動電流としてモータ１２へ供給することができる。
【００１８】
押圧ボタン５４は、ハウジング３の外側に露出された状態で配設されている。この押圧ボタン５４が押圧されると、処理ユニット５２が設定される。ここで、処理ユニット５２の設定とは、例えば初回の使用に無線通信のための認識ＩＤコードを設定することなどを指す。このため、フットコントローラ１５は、ミシン本体１１に対して１対１に対応する。
【００１９】
出力端子ユニット６は、ハウジング３の上述した入力端子ユニット４が配設された一側面と反対の側面に固着されている。この出力端子ユニット６は、駆動ユニット５３に接続されている。出力端子ユニット６は、コネクタ１３に対応して挿着されて駆動ユニット５３からの駆動電流をコネクタ１３を介してミシン本体１１の内部のモータ１２に伝えてそのモータ１２を駆動する。
【００２０】
この無線受信装置２を使用する際、出力端子ユニット６をコネクタ１３に挿着するだけで無線通信でフットコントローラ１５からの制御信号を受信し、その制御信号に基づいてモータ１２へ駆動電流を供給してモータ１２を駆動することができる。
【００２１】
したがって、このミシン用無線受信装置２を現有の電動ミシン１に使用しようとすれば、まず、ミシン本体１１内のモータ１２についている駆動回路を短絡させ、そしてそれを出力端子ユニット６でミシン本体１１のハウジングの外側のコネクタ１３と接続すると、駆動ユニット５３はフットコントローラ１５からの制御信号に基づいて電源からの電流を制御しながら駆動電流として出力端子ユニット６及びコネクタ１３を介してモータ１２に伝えてそのモータ１２を駆動することができる。即ち、この実施の形態に係るミシン用無線受信装置２によっては、もともとの駆動回路だけを短絡させるほか、なんの配置変更もせずに、現有の電動ミシン１を無線通信制御方式に改装して使用することができる。
【産業上の利用可能性】
【００２２】
上述した実施の形態から分かるように、本発明の無線受信装置は、ミシン本体に設けられる必要がないので、現有のミシンに対して簡単に無線受信装置を使用して無線通信をすることができる。本発明の無線受信装置はフットコントローラ式ミシンに適用される。
【図面の簡単な説明】
【００２３】
【図１】従来の有線通信をしたミシンを示す概略的な斜視図。
【図２】本発明の実施の形態に係る無線受信装置と現有のミシンとを示す概略的な斜視図。
【図３】本発明の実施の形態に係る無線受信装置と現有のミシンとの回路を示すブロック図。
【符号の説明】
【００２４】
１…ミシン、１１…ミシン本体、１２…モータ、１３…コネクタ、１４…スイッチ、１５…フットコントローラ、２…無線受信装置、３…ハウジング、４…入力端子ユニット、５…受信機、５１…受信ユニット、５２…処理ユニット、５３…駆動ユニット、５４…押圧ボタン、６…出力端子ユニット、７…電源コード、９１…ミシン本体、９２…コネクタ、９３…挿入コネクタ、９４…電源コード、９５…信号コード、９６…フットコントローラ
【図１】
2005193027.tif 000003
【図２】
2005193027.tif 000004
【図３】
2005193027.tif 000005